(57)【特許請求の範囲】
【請求項１】
ヘアカットシステムであって、
ヘアをカットするためのヘアカット装置であり、動作中に手で保持される、歯付き切断装置を有するヘアカット装置と、
前記歯付き切断装置の領域で前記ヘアカット装置に取り付けられるくし装置であり、互いに並置されたくし歯群を有するくし装置であって、該くし歯群のそれぞれが、歯末端部と歯基端部とこれら２個の歯端部の間に延びる接触ゾーンとを有し、少なくとも前記くし歯群が、連結手段によって、前記ヘアカット装置の保持手段に連結されるところのくし装置と、を具え、
当該ヘアカットシステムの動作中、前記接触ゾーンの少なくとも前記歯末端部に隣接する領域で、人の皮膚領域に対し、少なくとも前記くし歯群のいくつかを当接させ、且つ、前記歯末端部を動作方向の前方に向けて、前記皮膚領域上を移動させることができるヘアカットシステムにおいて、
前記連結手段は、前記くし歯群が前記皮膚領域上を前記動作方向に移動するときに、少なくとも前記くし装置におけるくし歯群の、前記ヘアカット装置に対する角度位置を連続的に増減させることができるよう構成され、
前記連結手段は更に、当該ヘアカットシステムの動作中に少なくともくし歯群のいくつかが皮膚領域上を移動させられるとき、前記くし歯群の角度位置の連続的な増減によって、前記くし歯群の前記接触ゾーンのうちの少なくとも前記歯末端部に隣接する部分に関して、皮膚領域との連続的接触が保証されるよう構成され且つ配置される、
ことを特徴とするヘアカットシステム。
【請求項２】
前記連結手段は、前記くし装置における少なくともくし歯群を前記ヘアカット装置に対して傾動させることができる回動手段を有する、
請求項１記載のヘアカットシステム。
【請求項３】
前記回動手段は、前記互いに並置されたくし歯群を横切る方向に延在する、前記くし歯群の接触ゾーンに隣接して配置される、回動スピンドルにより構成される、
請求項２記載のヘアカットシステム。
【請求項４】
前記くし歯群における前記歯末端部及び前記歯基端部との関係において、前記回動スピンドルは、前記歯末端部により接近して配置される、
請求項３記載のヘアカットシステム。
【請求項５】
前記くし装置は、前記連結手段の一部をなす２個のリムを有し、これら２個のリムの間に前記くし装置のくし歯群の少なくとも大部分を配置し、
前記回動スピンドルは、前記２個のリムのそれぞれの端部のうちの一方の位置に配置され、
前記２個のリムは、前記回動スピンドルから遠いところにある部分を前記ヘアカット装置の案内溝に係合させ、
前記案内溝は、前記ヘアカット装置の前記保持手段の一部を形成する、
請求項３記載のヘアカットシステム。
【請求項６】
前記回動手段は、２個の制御レバーを含む少なくとも１対の制御レバー対によって構成され、２個のレバーの端部のそれぞれの位置に継手を有し、
各制御レバーの２個の継手を互いに結ぶ各連結ラインである２個の連結ラインは、互いに交点で交差し、
この交点は、前記くし歯群の前記接触ゾーンとの関係において、前記接触ゾーンの、前記ヘアカット装置から遠い方の側に位置付けられる、
請求項２記載のヘアカットシステム。
【請求項７】
前記連結手段は、少なくとも１個の前記くし歯と前記ヘアカット装置の前記保持手段との間に配置される少なくとも１個のカム装置を含み、
前記カム装置は、少なくとも部分的に湾曲したカム溝と、該カム溝と係合する少なくとも１個のカムフォロワとにより構成され、
前記カム溝は、前記くし歯群の前記接触ゾーンとの関係において、前記接触ゾーンの、前記ヘアカット装置から遠い方の側に位置付けられる少なくとも１個の曲率中心を有する、
請求項１記載のヘアカットシステム。
【請求項８】
前記ヘアカット装置に対する前記くし装置全体の角度位置は、前記連結手段によって、連続的に調整可能である、
請求項１記載のヘアカットシステム。
【請求項９】
前記ヘアカット装置に対する前記歯付き切断装置の角度位置は、前記連結手段によって、連続的に調整可能である、
請求項８記載のヘアカットシステム。
【請求項１０】
前記回動手段は、前記動作方向にほぼ平行に延在するピン軸線を有する軸受ピンを有する、
請求項２記載のヘアカットシステム。
【請求項１１】
前記回動手段は、前記互いに並置されたくし歯群を横切る方向に延在しかつ前記くし歯群の前記接触ゾーンに近接させて配置される回動スピンドルと、前記動作方向にほぼ平行に延在するピン軸線を有する軸受ピンと、を有する、
請求項２記載のヘアカットシステム。
【発明の詳細な説明】
【０００１】
本発明は、ヘアカットシステムであって、
ヘアをカットするため動作中に手で持ちかつ歯付き切断装置を設けたヘアカット装置と、
前記歯付き切断装置の領域で前記ヘアカット装置に取り付けかつ互いに並置したくし歯を設け、各くし歯は歯末端部及び歯基端部を有し、これら２個の歯端部間に接触ゾーンが存在し、少なくともくし歯を連結手段によって前記ヘアカット装置の保持手段に連結したくし装置とを具え、動作中、前記接触ゾーンの少なくとも前記歯末端部に隣接する領域で人の皮膚領域に少なくとも若干のくし歯を当接することができ、また歯末端部を動作方向の進行方向前方に指向させて皮膚領域にわたり移動することができるヘアカットシステムに関するものである。
【０００２】
冒頭の段落に定義したタイプのヘアカットシステムは、例えば、特許文献である国際特許公開第ＷＯ９８／２５７３４号に記載されている。この既知のヘアカットシステムにおいては、くし装置は、堅固にくし歯に連結しかつヘアカット装置のハウジングの長手方向に延在する２個の案内部材構造を有し、これら案内部材構造をヘアカット装置の案内溝に掛合させることによってくし装置をヘアカット装置に対して移動可能に取り付け、ヘアカットシステムの動作中、くし装置を移動させることによって異なるカット長さを選択することが簡単に行うことができるようにしている。しかし、２個の案内部材構造をくし歯に堅固に連結しているため、この既知のヘアカットシステムでは適正なヘアカット処理を保証するためには、くし装置を有するヘアカット装置は、くし装置のくし歯を皮膚領域にわたって移動するとき、くし歯の接触ゾーンのうち少なくとも歯末端部に隣接する部分に関して皮膚領域との最適な接触が得られる相対位置に人の皮膚領域に対して常に保持しなければならない。しかし、残念なことに、皮膚領域に対するくし歯のこのような接触ゾーンの部分の接触は、ヘアカットシステムのユーザーの技量及び経験に大きく依存する。経験及び技量に不足がある場合、くし歯の歯末端部は通過する皮膚領域から離れてしまい、この結果、この領域におけるヘアは満足のいく持ち上げが得られず、歯付き切断装置に向けて不十分にした案内されないで満足のいくカットアクションとはならない。更に、経験及び技量が不足している場合には、くし歯の歯末端部は人の皮膚領域に急な角度で当接し、くし歯の接触ゾーンのうち歯末端部に隣接する部分のみならず、くし歯の接触ゾーン全体が皮膚領域から離れ、くし歯が皮膚領域に対して極めて急な角度位置をとり、この結果、皮膚領域に位置するヘアをくし歯が梳くことができず、ヘアが適正に持ち上げられず、満足のいくカットアクションが得られない。
【０００３】
本発明の目的は、上述の問題を排除し、改良したヘアカットシステムを得るにある。
【０００４】
この目的を達成するため、上述のタイプの本発明ヘアカットシステムは、前記連結手段を、前記くし装置の少なくともくし歯の前記ヘアカット装置に対する角度位置を連続的に変化させることができる構成にし、更に、前記連結手段を、ヘアカットシステムの動作中少なくとも若干のくし歯を皮膚領域にわたり移動するとき、前記くし歯の角度位置の連続的な変化によって前記くし歯の前記接触ゾーンのうちの少なくとも歯末端部に隣接する部分に関して皮膚領域との連続的接触が保証されるよう構成したことを特徴とする。
【０００５】
本発明による対策によって、本発明ヘアカットシステムの動作中くし歯が人の皮膚領域を通過する際に、くし歯の接触ゾーンのうち少なくとも歯末端部に隣接する部分を自動的に皮膚領域に連続接触させることが簡単かつ簡単な手段で得ることができる。このようにして、少なくとも歯末端部の領域の領域において、くし歯は、ヘアを適正に持ち上げるに有利な皮膚との相対位置を常にとることができ、従って、本発明によれば、常にヘアの適正な持ち上げ及び適正なカット性能が得られる。
【０００６】
本発明によるヘアカットシステムの他の有利な実施例は請求項２乃至９に規定する特徴を有する。これらの実施例の主要な利点は特別に簡単な構造と高い信頼性にある。
【０００７】
ヘアカット装置及びヘア押えブロックを有するヘアカットシステムは米国特許第４，５５７，０５０号に記載されており、この特許文献の図２３及び第６欄第３７頁〜５５頁に記載されている。このヘア押えブロックはヘアカット装置に対して連続的に回動自在に取り付けている。くしは、普通のくしと同様のピン状のくし歯を有しており、単にヘアを平行に揃えるだけのものである。更に、通常の動作中、くし及びヘア押えローラは人の皮膚領域に当接するようにはできておらず、皮膚領域から比較的離れたヘアをかすめるだけであり、ヘア押えローラはヘアを押えつけ、歯付き切断装置が比較的僅かな量のヘアに掛合してカットすることができるように作用するものであり、このことは例えば、ヘアをいわゆる薄くカットするのに好適であり、この目的のためヘア押えブロックが設けられているものである。米国特許第４，５５７，０５０号に記載のヘアカットシステムにおいては、ヘアカット装置に対して回動自在にヘア押えブロックが設けられているが、くし装置は移動自在に支持されておらず、くし装置及びこのくし装置のくし歯の構造は、本発明によるヘアカットシステムのくし装置とは性質が全く異なっており、また本発明によるヘアカットシステムとは解決しょうとする問題が全く異なっている。
【０００８】
次に図面につき、本発明の好適な実施の形態及び実施例を詳細に説明する。
以下の実施の形態及び実施例は単に例示であって本発明を限定するものではない。
【０００９】
図１は本発明による好適な実施の形態である第１の実施例のヘアカットシステム１を示す。このヘアカットシステム１は、ヘアをカットするヘアカット装置２及びヘアを真っ直ぐな状態にするくし装置３を有する。このヘアカット装置２は、図示の実施の形態では僅かに角度の付いた形状であるハウジング４を有する。ヘアカット装置２又はハウジング４の一方の端部において、ヘアカット装置２に歯付き切断装置５を設ける。ハウジング４の背部領域６に窪み７を設ける。この窪み７において、操作ボタン８をハウジング４の長手方向に平行に前後に摺動できるよう配置し、この操作ボタン８によってくし装置３全体を図１の双頭矢印９に平行な方向に図１には図示しない作用手段を介して位置決め又は移動できるようにする。操作ボタン８及び図示しない作用手段としては上述の特許文献である国際特許公開第ＷＯ９８／２５７３４号公報（この文献は単に参考として本明細書に示した）を参照されたい。
【００１０】
くし装置３はヘアカット装置の歯付き切断装置５の領域でヘアカット装置２に取り付け、ヘアを切断するために歯付き切断装置５に向けてヘアを持ち上げるよう案内する。くし装置３は複数個の互いに並置したくし歯１０を有する。各くし歯１０は歯末端部１１及び歯基端部１２、並びに２個の歯端部１１，１２間に延在する接触ゾーンＺを有する。図示の実施の形態では接触ゾーンＺは僅かに凹状に湾曲する。
【００１１】
図１に示すヘアカットシステムにおいては、くし歯１０をヘアカット装置２に設けた保持手段１４に連結する。連結手段１３は２個のリム（又は脚部）１５，１６を有し、これらの２個のリム間には、図示の実施の形態ではくし装置３のすべてのくし歯１０を配置し、またこれらのリムはそれぞれくし装置３の一部をなし、各端部１７，１８の領域でくし装置３のくし歯１０に連結する。保持手段１４は２個の案内溝１９を有し、このいうちの一方の案内溝１９のみを図１に示す。２個のリム１５，１６の２個の端部１７，１８から遠い方の部分をヘアカット装置２の案内溝１９内に掛合させる。リム１５，１６の各々は２個の端部１７，１８から遠い方の端部で作用ピンに着脱自在に連結し、これら作用ピンは、操作ボタン８によって操作される上述の作用手段の一部をなす。作用ピン（図示せず）間に着脱自在に連結することによって、くし装置３全体を、図１に示すヘアカットシステム１のヘアカット装置２から取り外すことができ、このことは上述の特許文献国際特許公開第ＷＯ９８／２５７３４号公報に記載のヘアカットシステムから既知である。
【００１２】
くし装置３及びこのくし装置３のくし歯１０に関して、ヘアカットシステム１の動作中、くし歯１０の少なくとも若干は、接触ゾーンＺのうち少なくとも歯末端部１１に隣接する領域で人の皮膚領域に当接することができ、また歯末端部１１を動作の進行方向に向けて皮膚領域にわたって移動することができる。この動作方向を図１に矢印２０で示す。ヘアカットシステム１の動作中のくし装置３の最適性能を得るためには、くし歯１０とこれらのくし歯１０の接触ゾーンＺが常に移動する皮膚領域に対して最適の位置関係となり、くし歯１０の接触ゾーンＺのうちの少なくとも歯末端部１１に隣接する領域が皮膚領域上に存在するときこのような最適位置関係が得られるようにすることが重要である。
【００１３】
図１に示すヘアカットシステム１においては、連結手段１３の構成が、くし装置３のくし歯１０のヘアカット装置２に対する角度位置を連続的に変化できる構造になっている利点がある。更に、図１に示すヘアカットシステム１の連結手段１３は、ヘアカットシステム１の動作中、くし歯１０が皮膚領域にわたって移動するとき、くし歯と１０の接触ゾーンＺのうち少なくとも歯末端部１１に隣接する部分が、角度位置の連続的な変化即ち、手で持つヘアカット装置２及び皮膚領域に対するくし歯１０の角度位置が連続的に変化することによって皮膚領域に連続的に接触することができるように構成する。
【００１４】
図１に示すヘアカットシステム１において、連結手段１３には、くし装置３のくし歯１０をヘアカット装置２に対して傾動させることができる回動手段を設ける。特別な実施例では、この回動手段を回動スピンドル２１によって形成し、この回動スピンドル２１を図１に線図的にのみ示す。この回動スピンドル２１は互いに並置したくし歯１０を横切るように延在し、また回動スピンドル２１はくし歯１０の接触ゾーンＺに隣接させて配置し、この配置は、くし歯１０の角度位置が連続的に変化できるようにするために、また従って、くし歯１０の接触ゾーンＺの少なくとも歯末端部１１に隣接する部分が皮膚領域に連続的に接触することができるようにするために重要である。くし歯１０の歯末端部１１及び歯基端部１２に対する回動スピンドル２１の配置関係に関して、図示の実施の形態では、回動スピンドル２１を２個の歯端部１１，１２間のほぼ中心に配置する。２個のリム１５，１６に対しては、回動スピンドル２１は、図１に明示するように、リム１５，１６の各端部１７，１８の位置に配置する。
【００１５】
図２及び図３に、本発明による第２の実施例のヘアカットシステム１を示し、この第２の実施例は図１のヘアカットシステム１とは僅かに異なる。図２及び図３には、ヘアカット装置２のオン／オフ用スイッチ２２を示し、このスイッチ２２はヘアカット装置２をオン及びオフするのに使用する。更に、図２及び図３には操作ボタン８によって作用を受ける作用手段２３を線図的に示す。図２及び図３には更に、作用手段２３の一部をなし、また例えば、くし装置３のリム１５，１６に着脱自在に相互連結される作用ピン２４を示す。
【００１６】
図２には、更に、ヘアカットシステム１のくし装置３の細部を示す。くし装置３は、各リム１５，１６のためのロッドばね２５を有し、このロッドばね２５は各リム１５，１６に取り付けた端部２６及び２個のピン２８，２９間に介在させた他の端部２７を有し、これらの２個のピン２８，２９は最も外側のくし歯１０から突出する。このように、くし装置３のくし歯１０の初期位置は、図２及び図３で実線で示す初期位置をとるよう規定される。
【００１７】
図２及び図３に示すヘアカットシステム１においては、２個のリム１５，１６は端部１７，１８において角度付き部分を有し、これらの角度付きの端部部分は歯末端部１１に向かって延在する。回動スピンドル２１はこの角度付き端部部分１７，１８に配置する。リム１５，１６に角度付き部分を設けた点、及び回動スピンドル２１をリム１５，１６の端部１７，１８の領域に配置した点によって、くし歯１０の歯末端部１１及び歯基端部１２に対して、回動スピンドル２１を歯末端部１１により一層近接させて配置することが簡単に行える。このことは、歯末端部１１の位置で接触ゾーンＺの最適な一定接触を得る上で好ましいことがわかった。図２及び図３に示すヘアカットシステム１においては、皮膚領域とのこの一定接触は、またヘアカット装置２に対するくし歯１０の角度位置の連続的変化によっても得られる。図２及び図３において、くし歯１０の２個の角度位置を破線で示す。これらの２個の角度位置はくし歯１０の端部位置であり、図２及び図３には図示しない止め手段によって規定される。
【００１８】
図４及び図５に示す本発明による第３の実施例であるヘアカットシステム１に関しては、このヘアカットシステム１には、くし歯１０がほぼ直線的な接触ゾーンＺを有するくし装置３を設ける。更に、この実施例においては、連結手段１３は回動スピンドル２１を有する。しかし、この実施例では連結手段１３は直線的なリム（脚部）ではなく、回動スピンドル２１から上方に延びるほぼ平板状のアーム３１と、断面が円形であってアーム３１に一体に連結したのシェル部分３２とを有する。２個のシェル部分３２の各々は、遊端の位置で作用リング３３によってカバーし、これらの作用リングはヘアカット装置２のハウジング４に対して回転自在とする。作用リング３３と、２個のシェル部分３２の各々との間に作用リンクを配置し、この作用リンクによって、作用リング３３を回転する際に部材３０を矢印９で示す方向に平行に移動することができるようになり、くし装置３をヘアカット装置２に対して移動し、従って、くし歯装置３をヘアカット装置２の歯付き切断装置５に対して移動することができ、異なるヘアカット長さを選択することができるようになる。
【００１９】
図６に示す本発明による第４の実施例としてのヘアカットシステムは、図１乃至図５に示すヘアカットシステム１の変更例である。図６に示すヘアカットシステム１の特別な特徴は、リム１５，１６（図６にリム１５のみを示した）が特に長い角度付き部分１５Ａを有し、従って、回動スピンドル２１がくし歯１０の歯末端部１１に極めて近接した位置に配置した点である。
【００２０】
図６に示すヘアカットシステム１に関して、図６のヘアカット装置２の駆動モータ３４が、モータシャフト３５を介して偏心ディスク３６及び偏心ディスク３６から突出する偏心ピン３７を駆動することができるようにする。偏心ピン３７を２個の駆動部材３８間に配置し、一方の駆動部材３８のみを図６に示す。２個の駆動部材３８を、ヘアカット装置２の歯付き切断装置５の被駆動歯付きカッタ３９に固着する。被駆動歯付きカッタ３９を駆動部材３８を介して歯付き切断装置５の固定歯付きカッタ４０に対して往復移動するよう駆動される。歯付き切断装置５の２個の歯付きカッタ３９，４０は歯付き切断装置５のキャリヤＣ５に取り付ける。キャリヤＣ５は、図示しないまた２個の歯付きカッタ３９，４０から遠い側のキャリヤＣ５の端部に配置した回動自在の継手を介してヘアカット装置２のハウジング４に連結する。このようにして、キャリヤＣ５とともに歯付き切断装置５はヘアカット装置２に対して回動し、例えば、２個の歯付きカッタ３９，４０をきれいに清掃することができるようにする。
【００２１】
図６に示すヘアカットシステム１においては、回動スピンドル２１及びくし歯１０の歯末端部１１を互いに接近させて配置することができることによって、特別に満足のいく性能が得られる。即ち、くし歯１０のヘアカット装置２に対する角度位置の連続的な変化が極めて満足がいくものでありかつ円滑に行われ、従って、処理している皮膚領域に著しい起伏があってもくし歯１０の接触ゾーン前記歯と皮膚領域との一定の安定した接触を保証することができるようになるからである。
【００２２】
図７に示す本発明による第５の実施例としてのヘアカットシステム１においては、連結手段１３は、２個のリム１５，１６を有し、図７において一方のリム１５のみを示す。更に、図示の実施例では連結手段１３には、更に、回動手段を設ける。しかし、この回動手段は回動スピンドルによって構成するものではなく、２個の制御レバー４１の対によって構成し、図７では一方の制御レバー対４１を示す。制御レバー対４１は、２個の制御レバー４２，４３を有する。２個の制御レバー４２，４３のそれぞれを一方のレバー端部の位置における対応の継手４４，４５を介してくし歯１０に、また他方のレバー端部の位置における対応の他の継手４６，４７を介してリム１５の交差部分４８及びヘアカット装置２の図７には図示しない保持手段に連結する。２個の制御レバー４２，４３は、各制御レバー４２，４３のための２個の継手４４及び４６、又は４５及び４７を互いに結ぶ連結ライン４９又は５０が交点５１で互いに交差し、この交点５１はくし歯１０の接触ゾーンＺに対してヘアカット装置２から離れる側に位置するようにする。従って、交点５１はくし歯１０とは反対側の自由空間に位置するくし歯１０の回動中心を画定し、皮膚領域を通過するときくし歯１０の特別に満足のいくかつスムーズな移動が保証され、接触ゾーンＺの皮膚領域に対する特別に信頼性の高い接触持続が得られる。
【００２３】
図８に示す本発明による第６の実施例としてのヘアカットシステム１においては、連結手段１３に２個のリム１５，１６を設け、図８には一方のリム１５のみを示す。この実施例においては、連結手段１３は、更に、２個のカム装置５２を有し、図８には一方のカム装置５２のみを示す。カム装置５２は、くし歯１０に形成した湾曲カム溝５３と、このカム溝５３に掛合する小さいピン又はローラの形式の２個のカムフォロワ５４，５５とを有し、これらカムフォロワ５４，５５はリム１５の交差部分５６から側方に突出する。リム１５はヘアカット装置２の保持手段（図８には図示されない）に連結するため、カム装置５２はくし歯１０とヘアカット装置２の図示しない保持手段との間に位置する。
【００２４】
カム溝５３に関して、図示の実施例では、円弧に沿った形状にカム溝５３を形成し、従って、くし歯１０の接触ゾーンＺに対してヘアカット装置２から離れる側に位置する円の中心によって画定される曲率中心５７を有する。図８に示すように、曲率中心５７は接触ゾーンＺから比較的遠い距離に位置し、このことはヘアカット装置２に対するくし歯１０の角度位置の正確かつ円滑な変化、及び人の皮膚に対する接触ゾーンＺの正確かつ連続的な接触のために特別に有利であることが分かった。
【００２５】
図９に示す本発明による第７の実施例としてのヘアカットシステム１においては、ヘアカットシステム１のヘアカット装置２に対して、くし装置３のくし歯１０の角度位置のみならず、くし装置３全体の角度位置も連結手段１３によって連続的に調整可能である。この実施例においては、ヘアカット装置２に対する歯付き切断装置５の角度位置も連結手段１３によって連続的に調整することができる。この目的のため、図９に示すヘアカットシステム１には以下に説明する構造を設けておく。
【００２６】
図９に示すヘアカットシステム１のヘアカット装置２は、２個の制御レバー対５８を有し、これら制御レバー対は連結手段１３の一部をなし、また一方の制御レバー対５８のみを図９に示す。制御レバー対５８は２個の制御レバー５９，６０を有する。２個の制御レバー５９，６０はそれぞれ一方のレバー端部における対応の継手６１，６２を介してヘアカット装置２のハウジング４に回動自在に連結し、また他方のレバー端部における継手６３，６４を介して歯付き切断装置５のキャリヤＣ５に回動自在に連結する。図示の実施例では、ハウジング４はヘアカットシステム１の保持手段をもなす。更に、図示の実施例ではキャリヤＣ５も連結手段１３の一部をなす。２個の制御レバー５９，６０は、それぞれ対応の制御レバー５９又は６０の２個の継手６１及び６３、又は６２及び６４を互いに結ぶ２個の連結ライン６５，６６が交点６７で互いに交差し、この交点６７はくし歯１０の接触ゾーンに対してヘアカット装置２から遠い側に位置する。
【００２７】
歯付き切断装置５のためのキャリヤＣ５は２個の案内スリーブ６８を担持し、各案内スリーブ６８はそれぞれ案内チャンネル６９を有し、図９には一方の案内チャンネル６９のみを示す。各案内チャンネル６９にはくし装置３のリム７０が掛合する。図示の実施例では、２個のリム７０をくし装置３の歯１０に堅固に連結する。２個のリム７０は案内チャンネル６９に摺動自在に掛合し、２個のリム７０は図示しない作用手段と連係動作し、これにより、２個のリム７０及びくし装置３全体は双頭矢印９で示す方向に平行に移動することができ、ヘアカットシステム１を異なるヘアカット長さにセットすることができるようになる。
【００２８】
図１０に示す本発明による第８の実施例としてのヘアカットシステム１は、図９に示すヘアカットシステム１の変更例である。図１０に示すヘアカットシステム１においては、歯付き切断装置５のキャリヤＣ５は図示しない回動手段によってヘアカット装置２のハウジング４に対して回動中心７１の周りに回動自在に取り付け、この回動中心７１はくし装置３のくし歯１０の接触ゾーンＺに対してヘアカット装置２から遠い側に位置する。上述のただし図示しない回動手段は連結手段１３の一部をなし、図示の実施例では歯付き切断装置５のキャリヤＣ５を有する。くし装置３はキャリヤＣ５に回動自在に、即ち、図９に示すヘアカットシステム１と同様に取り付ける。この実施例では、ハウジング４はヘアカットシステム１の保持手段をもなす。
【００２９】
図１１には本発明による第９の実施例としてのヘアカットシステム１の一部を示し、この実施例は図８に示すヘアカットシステム１の変更例である。図１１に示すヘアカットシステム１では連結手段１３は、更に、くし歯１０とヘアカット装置の保持手段との間に配置した少なくとも１個のカム装置５２を有し、このカム装置５２は、湾曲したカム溝５３と、このカム溝５３に掛合する２個のピン状のカムフォロワ５４，５５とにより構成する。しかし、図示の実施例では、カム溝５３は連結手段１３のリム１５に形成し、ピン状のカムフォロワ５４，５５をくし歯１０の延長部分７２から突出させ、この延長部分は２個のカムフォロワ５４，５５を担持するために予め設けておく。図１１に示すヘアカットシステム１では、カム溝５３は円弧に沿った湾曲形状にし、従って、単に１個の曲率中心５７を有し、この曲率中心５７は図示の実施例ではくし歯１０の接触ゾーンＺに対してほぼこの接触ゾーンＺの領域に位置する。
【００３０】
図１２には、本発明による第１０の実施例としてのヘアカットシステム１を示す。この実施例は図１１のヘアカットシステム１の変更例である。図１２に示すヘアカットシステム１では、連結手段１３には、くし歯１０とヘアカットシステム１のヘアカット装置の図示しない保持手段との間に配置したカム装置５２を設ける。更に、この実施例では円弧に沿う形状のカム溝５３を連結手段１３のリム１６に形成する。このカム溝５３にはカム装置５２のカムフォロワとして円弧に沿う形状の連結リム７３の形式をとるカムフォロワが掛合する。連結リム７３の両側の端部７４，７５をカム歯１０に連結する。カム溝５３とカムフォロワをなす連結リム（部材）７３はともに円弧形状であるため、単に１個のみの曲率中心５７のみが画定され、この曲率中心５７はくし歯１０の接触ゾーンＺに対してヘアカットシステム１のヘアカット装置から遠い側に位置する。
【００３１】
図１３は本発明による第１１の実施例としてのヘアカットシステム１を示す。このヘアカットシステム１は図１２のヘアカットシステム１の変更例である。図１３に示すヘアカットシステム１においては、連結手段１３にやはりカム装置５２を設ける。この実施例では、カム装置５２を、複数個のくし歯１０とヘアカットシステム１のヘアカット装置の図１３には示さない保持手段との間に配置する。このカム装置５２は、部分的に湾曲したカム溝５３と、カムフォロワをなしてカム溝５３に掛合する連結リム７３とを有する。連結リム７３は長手方向には非可撓性であるが、長手方向軸線に交差する方向には可撓性即ち、弾性を有する。この実施例では、カム溝５３は単純な円弧に沿う形状ではなく、円弧に沿う形状の第１部分７６と、直線形状の第２部分７７と、及び円弧に沿う形状の第３部分７８とを有し、第１部分７６は第３部分７８よりもより顕著な曲率を有し、従って、カム装置５２は単に１個の曲率中心を持つものではない。従って、ヘアカット装置に対する角度位置の変化を行う間には、くし歯１０は単純な回動運動を行わず、回動成分と並進成分とを有する複合運動を行う。
【００３２】
図１２に示す本発明による第１２の実施例としてのヘアカットシステム１においては、ヘアカット装置２のハウジング４は２個のハウジング部分７９，８０を有する。第１ハウジング部分７９は図１乃至図１３に示すヘアカットシステムのヘアカット装置２のハウジング４に基本的に対応する。第２ハウジング部分８０は第１ハウジング部分７９の一部のスリーブ状のエンクロージャをなす。図１４に示すヘアカットシステム１の動作中第２ハウジング部分８０は片手で保持される。
【００３３】
図１４に示すように、２個の制御レバー８２，８３を有する制御レバー対８１を第１ハウジング部分７９と第２ハウジング部分８０との間に配置してヘアカットシステム１の回動手段をなす。２個の制御レバー８２，８３はそれぞれ、一方のレバー端部における対応の継手８４，８５を介して第１ハウジング部分７９に回動自在に連結し、また他方のレバー端部における対応の継手８６，８７を介して第２ハウジング部分８０に回動自在に連結する。この実施例では、ハウジング４は同時にヘアカットシステム１の保持手段をもなす。２個の制御レバー８２，８３はそれぞれ、対応の制御レバー８２，８３のための２個の継手８４及び８６、又は８５及び８７を互いに結ぶ連結ライン８８，８９が互いに交点９０で交差し、この交点９０はくし歯１０の接触ゾーンＺに対してヘアカット装置２から遠い側に位置する。図１４に示すヘアカットシステム１において、第２ハウジング部分８０はヘアカットシステム１の保持手段をなし、また連結手段は制御レバー対８１、第１ハウジング部分７９及びくし装置３のリム７０を有する。
【００３４】
図１５及び図１６に示す本発明による第１３の実施例としてのヘアカットシステムは、図１５及び図１６には図示しないヘアカット装置に対するくし歯１０の角度位置を、作動方向２０にほぼ平行な方向に延在する回動軸線の周りにくし装置３が回動することによって連続的に変化することができる連結手段１３を設ける。この目的のため、連結手段１３は、回動軸線に対応しかつ動作方向２０に平行なピン軸線９１を有する軸受ピン９２により構成した回動手段を設ける。軸受ピン９２はくし歯１０を相互連結するウェブ９３から突出する。くし歯１０から遠い側の端部位置において、軸受ピン９２は端部ディスク９４に例えば、超音波溶接によって連結する。軸受ピン９２は孔９５に掛合する。この孔９５は連結手段１３の一部をなしかつ図示しないヘアカット装置の保持手段に連結した連結アーム９６に形成しておく。
【００３５】
このようにして、このヘアカットシステム１では、連結手段１３は、ヘアカットシステム１の動作中にくし歯１０の少なくとも若干の歯が、くし歯１０の接触ゾーンＺの少なくとも歯末端部１１に隣接する部分で皮膚領域にわたり移動するとき、軸受ピン９２の周りの回動によって、これらくし歯の角度位置が連続的に変化する結果としてこの皮膚領域に連続的に接触する。
【００３６】
図１７及び図１８に示す本発明による第１４の実施例としてのヘアカットシステム１においては、中カッコで示すヘアカット装置２の部分Ａ、及び他の中カッコで示すヘアカット装置２の部分Ｂを、連結手段１３の図示しない回動手段によって互いに回動自在に取り付け、即ち、ヘアカット装置２の部分Ａを片手で持つとき、ヘアカット装置２の部分Ｂは、図１８で湾曲した双頭矢印９８で示す方向に一点鎖線で示す回動軸線９７の周りに傾動することができる。ヘアカット装置２の部分Ａ及び部分Ｂは分離ゾーン９９で互いに結合する。分離ゾーン９９の図形的形状は、それぞれ回動軸線９７及びヘアカット装置２で規定される円筒軸線を有する円形シリンダと、ヘアカット装置２のハウジング２との間の切断面である。
【００３７】
図１９及び図２０に示す本発明による第１５の実施例としてのヘアカットシステム１において、連結手段１３は、くし装置３が図示しないヘアカット装置２に対して三次元運動を行うことができる構造であり、連結手段に適当な構造の回動手段を設けてある点でこの三次元運動が可能となっている。図１９及び図２０に示すヘアカットシステム１において、回動手段は、互いに並置するくし歯１０に交差する方向に延びており、くし歯１０の接触ゾーンＺに隣接する回動軸線２１を有し、また動作方向２０にほぼ平行なピン軸線９１を有する軸受ピン９２を有している。軸受ピン２１は２個のリム１５，１６の端部１７，１８の位置に配置し、２個のリム１５，１６は部材１００によって互いに連結する。軸受ピン９２は部材１００から突出する。
【００３８】
この構造によれば、くし装置３のくし歯１０がぐらつき運動を行うことができるという利点を有し、くし歯１０の角度位置の多様な変化を行うことができ、従って、くし歯１０の接触ゾーンの少なくとも歯末端部１１に隣接する部分の異なる位置でも皮膚領域との連続的な接触が可能となる。
【００３９】
図２１及び図２２に示す本発明による第１６の実施例としてのヘアカットシステム１においては、ヘアカット装置２の部分Ａとヘアカット装置２の部分Ｂとの間に分離面１０１を設けておき、この分離面１０１は球面の一部をなし、この球面の中心１０２を図２１及び図２２に示す。このヘアカットシステム１において、連結手段１３は回動手段を有し、この回動手段によってヘアカット装置２の部分Ｂがヘアカット装置２の部分Ａに対して球状の分離面１０１に従って回動運動を行うことができるようになる。これら連結手段１３即ち、連結手段に設けた回動手段によれば、ヘアカット装置２の部分Ｂがヘアカット装置２の部分Ａに対してぐらつき運動を行うことができ、この結果、このヘアカットシステム１は皮膚領域に対する特別に満足のいく連続的な接触が、くし歯１０の接触ゾーンＺの少なくとも歯末端部１１に隣接する部分で保証される。
【００４０】
上述のすべてのヘアカットシステム１において、動作中にくし歯１０が人の皮膚領域を通過するとき、くし歯１０の接触ゾーンＺのうち少なくとも歯末端部１１に隣接する部分が、たとえくし歯１０が通過する皮膚領域に、例えば、人の頭のように比較的顕著な曲率変動があっても皮膚領域との連続的な接触を自動的に行うようにすることが簡単にかつ簡単な手段で得られる。くし歯１０の接触ゾーンＺの大部分が処理する皮膚領域との連続的な接触を生ずるため、くし歯が常にこのような皮膚領域に対する適正な位置をとり、このことはヘアを適正に持ち上げる点で有利であり、従って、適正なヘアの持ち上げ及び適正なカット性能が常に得られる。
【図面の簡単な説明】
【図１】  本発明による第１の実施例のヘアカットシステムの、僅かに縮小した線図的斜視図である。
【図２】  本発明による第２の実施例のヘアカットシステムの側面図であり、ヘアカットシステムのくし装置がヘアカットシステムのヘアカット装置に比較的近接する位置をとる動作状態を示す側面図である。
【図３】  図２のヘアカットシステムを示し、くし装置がヘアカットシステムのヘアカット装置から比較的離れた位置をとる動作状態を示す側面図である。
【図４】  本発明による第３の実施例のヘアカットシステムの側面図である。
【図５】  図４のヘアカットシステムの平面図である。
【図６】  本発明による第４の実施例のヘアカットシステムを示し、ヘアカット装置の一部だめとする線図的説明図である。
【図７】  本発明による第５の実施例のヘアカットシステムの図６と同様の線図的説明図である。
【図８】  本発明による第６の実施例のヘアカットシステムの図６及び図７と同様の線図的説明図である。
【図９】  本発明による第７の実施例のヘアカットシステムの図６，図７、及び図８と同様の線図的説明図である。
【図１０】  本発明による第８の実施例のヘアカットシステムの図６，図７，図８及び図９と同様の線図的説明図である。
【図１１】  本発明による第９の実施例のヘアカットシステムの一部のみの線図的説明図である。
【図１２】  本発明による第１０の実施例のヘアカットシステムの一部の図１１と同様の線図的説明図である。
【図１３】  本発明による第１１の実施例のヘアカットシステムの一部の図１１及び図１２と同様の線図的説明図である。
【図１４】  本発明による第１２の実施例のヘアカットシステムの全体を示す図６，図７、図８、図９及び図１０と同様の線図的説明図である。
【図１５】  本発明による第１３の実施例のヘアカットシステムの一部の図１１、図１２及び図１３と同様の線図的説明図である。
【図１６】  図１５の矢印ＸVIの方向から見た図１５のヘアカットシステムの一部の説明図である。
【図１７】  本発明による第１４の実施例のヘアカットシステムの一部の図１５と同様の説明図である。
【図１８】  図１７の矢印ＸVIIIの方向から見た図１７のヘアカットシステムの一部の説明図である。
【図１９】  本発明による第１５の実施例のヘアカットシステムの一部の図１５及び図１７と同様の説明図である。
【図２０】  図１９の矢印ＸＸの方向から見た図１９のヘアカットシステムの一部の説明図である。
【図２１】  本発明による第１６の実施例のヘアカットシステムの一部の図１５、図１７及び図１９と同様の説明図である。
【図２２】  図２１の矢印ＸＸIIの方向から見た図２１のヘアカットシステムの一部の説明図である。
【図１】
0004560211.tif 000002
【図４】
0004560211.tif 000003
【図５】
0004560211.tif 000004
【図２】
0004560211.tif 000005
【図３】
0004560211.tif 000006
【図６】
0004560211.tif 000007
【図７】
0004560211.tif 000008
【図８】
0004560211.tif 000009
【図９】
0004560211.tif 000010
【図１０】
0004560211.tif 000011
【図１１】
0004560211.tif 000012
【図１２】
0004560211.tif 000013
【図１３】
0004560211.tif 000014
【図１４】
0004560211.tif 000015
【図１５】
0004560211.tif 000016
【図１６】
0004560211.tif 000017
【図１７】
0004560211.tif 000018
【図１８】
0004560211.tif 000019
【図１９】
0004560211.tif 000020
【図２０】
0004560211.tif 000021
【図２１】
0004560211.tif 000022
【図２２】
0004560211.tif 000023